(57)【要約】【課題】使用者にデジタルカメラの特殊機能の利用を促す。【解決手段】被写体画像を撮影する撮影機能および撮影された被写体画像を再生する再生機能を使用する際に操作されるレリーズボタン１９やモニタ操作部１７とは別に、被写体画像のプリント注文設定を行う際に操作されるプリント専用ボタン１８をカメラ本体１０に設ける。被写体画像のプリント注文設定は、撮影モードでプリント専用ボタン１８とレリーズボタン１９とを同時押しして被写体画像の撮影を行う。撮影後にメニュー選択／決定ボタン１７ｂを押圧操作して、注文枚数などのＤＰＯＦ情報の設定を行い、このＤＰＯＦ情報と画像データとを記憶媒体に記憶させる。あるいは通信機能を用いてこれらのデータをＤＰＥ店などに設置された外部サーバに転送する。【選択図】　　　　図１
2004072195.tif 000002
【特許請求の範囲】
【請求項１】
被写体画像を撮影する撮影機能と、撮影された被写体画像を再生する再生機能と、これら撮影機能および再生機能以外の特殊機能とを有するデジタルカメラにおいて、
前記撮影機能および再生機能を使用する際に操作される操作部材とは別に、前記特殊機能を使用する際に操作される特殊機能操作部材をカメラ本体に設けたことを特徴とするデジタルカメラ。
【請求項２】
前記特殊機能操作部材は、被写体画像のプリント注文設定を行う際に操作されることを特徴とする請求項１に記載のデジタルカメラ。
【発明の詳細な説明】
【０００１】
【発明の属する技術分野】
本発明は、撮影機能および再生機能以外の特殊機能を有するデジタルカメラに関する。
【０００２】
【従来の技術】
ＣＣＤイメージセンサなどで撮像した被写体画像を画像データに変換し、内部メモリやメモリカードなどの記憶媒体に保存するデジタルカメラが普及している。また、最近では特殊な機能を有するデジタルカメラが種々提案されており、例えば特開平１１−１５０６７３号公報には、撮影した被写体画像をプリント注文する際の注文枚数を、被写体画像を撮影する際に押圧操作されるレリーズボタンと組み合わせて設定するデジタルカメラが記載されている。このデジタルカメラでは、注文枚数と画像データとを液晶モニタを介して確認することができ、プリント注文の利便性を高めている。
【０００３】
【発明が解決しようとする課題】
しかしながら、特開平１１−１５０６７３号公報に記載されるデジタルカメラは、プリント注文する際に操作されるボタンがレリーズボタンであるため、慣れていない使用者には操作が煩雑であるうえ、使用者にプリント注文を積極的に利用させるという効果が期待できなかった。
【０００４】
本発明は、使用者に特殊機能の利用を促すことができるデジタルカメラを提供することを目的とする。
【０００５】
【課題を解決するための手段】
上記目的を達成するために、本発明は、被写体画像を撮影する撮影機能と、撮影された被写体画像を再生する再生機能と、これら撮影機能および再生機能以外の特殊機能とを有するデジタルカメラにおいて、前記撮影機能および再生機能を使用する際に操作される操作部材とは別に、前記特殊機能を使用する際に操作される特殊機能操作部材をカメラ本体に設けたことを特徴とする。なお、前記特殊機能操作部材は、被写体画像のプリント注文設定を行う際に操作されることが好ましい。
【０００６】
【発明の実施の形態】
図１に、本発明を実施したデジタルカメラの背面概観斜視図を示す。デジタルカメラ２のカメラ本体１０の背面には、ストロボ操作ボタン１１、マクロ選択ボタン１２、モード切換スイッチ１３、フレーム送りボタン１４ａ、フレーム戻しボタン１４ｂ、ズームボタン１５、液晶モニタ１６、モニタ操作部１７、およびプリント専用ボタン１８が設けられている。カメラ本体１０の上面にはレリーズボタン１９が、側面には外部接続端子２０が設けられている。また、カメラ本体１０には図示しない通信手段が組み込まれ、外部へのデータ転送を可能とする通信機能が付加されている。
【０００７】
デジタルカメラ２は、レリーズボタン１９を押圧操作することにより、液晶モニタ１６に表示された被写体画像（スルー画像）を図示しないＣＣＤイメージセンサに撮像し、この被写体画像をデジタルの画像データに変換して内部メモリやメモリカードなどの記憶媒体に保存する。
【０００８】
ストロボ操作ボタン１１は、これを押圧操作することによりストロボ撮影の有無が選択される。マクロ選択ボタン１２は、標準撮影モードと接写モードとを選択する際に押圧操作される。モード切換スイッチ１３は、被写体撮影を行う撮影モードと、撮影した画像を液晶モニタ１６に表示する再生モードとを選択する際に上下にスライド操作される。フレーム送り戻しボタン１４ａ、１４ｂは、再生時に液晶モニタ１６に表示された撮影画像のフレーム番号を選択する際に用いられる。ズームボタン１５は、撮影時に被写体画像のズーミングを行う際に操作される。
【０００９】
液晶モニタ１６には、上述のスルー画像や再生画像の他に、デジタルカメラ２の各種設定項目が表示される。モニタ操作部１７は、表示ボタン１７ａ、メニュー選択／決定ボタン１７ｂ、およびキャンセルボタン１７ｃから構成され、各種設定項目の表示、選択、決定、解除を行う際に押圧操作される。外部接続端子２０には、パソコンやプリンタなどにデジタルカメラ２を接続する際に、接続ケーブルのコネクタなどが装着される。
【００１０】
プリント専用ボタン１８は、被写体画像のプリント注文設定をする際に用いられる。被写体画像のプリント注文設定は、まず、撮影モードでプリント専用ボタン１８とレリーズボタン１９とを同時押しして被写体画像の撮影を行う。そして、撮影後にメニュー選択／決定ボタン１７ｂを押圧操作して、注文枚数などのＤＰＯＦ（Ｄｉｇｉｔａｌ　Ｐｒｉｎｔ　Ｏｒｄｅｒ　Ｆｏｒｍａｔ）情報の設定を行う。最後に、このＤＰＯＦ情報と画像データとを記憶媒体に記憶させる。あるいは通信機能を用いてこれらのデータをＤＰＥ店などに設置された外部サーバに転送する。なお、ここでは撮影モード時にプリント注文設定を行っているが、撮影終了後に再生モードで画像を確認しながらまとめて設定をしてもよい。また、プリント専用ボタン１８は、使用者にプリント注文の利用をさらに促すために、他の操作ボタンと差別化された視認性の高いデザインであることが好ましい。
【００１１】
なお、記憶媒体の容量に空きがない場合に、プリント専用ボタン１８を押圧操作することで通信機能を作動させ、外部サーバへ画像データを転送するようにすれば、使用者が記憶媒体の空き容量を気にせずに撮影を楽しむことができる。また、ＤＰＥ店などの写真現像を取り扱う小売店舗で使用される業務用プリンタに、外部接続端子２０を介してデジタルカメラ２を接続して画像データを転送する際に、プリント専用ボタン１８の押圧操作のみで自動的に転送を行えるようにしてもよい。
【００１２】
なお、撮影モードでプリント専用ボタン１８とメニュー選択／決定ボタン１７ｂとの同時押しでプリントサイズの設定を行えるようにしてもよい。また、再生モードで、ズームボタン１５と同時押しでトリミングプリントの注文設定、フレーム送り戻しボタン１４ａ、１４ｂと同時押しでパノラマサイズの画角設定、ストロボ操作ボタン１１と同時押しでプリントの輝度補正設定、マクロ選択ボタン１２と同時押しでホワイトバランスの調整、表示ボタン１７ａと同時押しで文字やイラストの挿入設定、キャンセルボタン１７ｃと同時押しでＤＰＯＦ情報の設定解除などを行えるようにしてもよい。さらに、使用者が所有するパソコンやプリンタへの画像データの自動転送（プリンタの場合は自動転送後、自動プリント開始）、使用者のプリンタからＤＰＥ店へ画像データを転送して、ＤＰＥ店でプリントを行うなどの機能をプリント専用ボタン１８の押圧操作のみで行えるようにしてもよい。
【００１３】
上記実施形態では、プリント専用ボタン１８と各種操作ボタンとの同時押しにより設定を行っているが、プリント専用ボタン１８を押した後に各種操作ボタンを押すことで行ってもよい。また、本発明は、プリント注文設定機能以外の特殊機能を有するデジタルカメラにも適用することができる。
【００１４】
【発明の効果】
以上のように、本発明のデジタルカメラによれば、撮影機能および再生機能を使用する際に操作される操作部材とは別に、特殊機能を使用する際に操作される特殊機能操作部材をカメラ本体に設けたので、使用者に特殊機能の利用を促すことができる。
【図面の簡単な説明】
【図１】本発明を実施したデジタルカメラの背面概観斜視図である。
【符号の説明】
２　デジタルカメラ
１０　カメラ本体
１６　液晶モニタ
１８　プリント専用ボタン
１９　レリーズボタン
【図１】
2004072195.tif 000003